(57)【要約】【課題】  本発明は一続きの尻合せダブルスライダー付きファスナー等の繋止手段を持った双方向に折り曲げて繋止が可能なクッションで、ファスナーのスライダーの位置関係の操作で楽に形状や収納モードが変わる、ＴＶリモコン等の定位置収納又は目印的移動収納としての挟み収納空間を備えた、収納付き形状可変クッションを提供する。【解決手段】  直交する面の直交縁同士を繋いで形成されるヒンジ部１を回転軸としてシーソー型に双方向に折れ、回転・当接自在の２つのクッション体２ａ、２ｂに於いて、回転する２方向でそれぞれ当接する面同士のアウトラインを同じくし、アウトラインに沿って設けたたるみ部３をヒンジ部１付近に持つ一続きの尻合せダブルスライダー付きファスナー４等の繋止手段５により楽な操作でクッションの形状変更を可能にし、同時に挟み収納空間６を持つクッションを構成する。【選択図】図１
2015164508.tif 000002
【特許請求の範囲】
【請求項１】
直交する面の直交縁同士を繋いだ部分で形成される、ヒンジ部（１）を回転軸としてシーソー型に双方向に折れ、回転・当接自在の２つのクッション体Ａ、Ｂ（２ａ、２ｂ）に於いて、回転する２方向でそれぞれ当接する面同士のアウトラインを同じくした形状で設け、アウトラインに沿って設けた、たるみ部（３）をヒンジ部（１）付近に持つ、一続きの尻合せダブルスライダー付きファスナー（４）等の、繋止手段（５）により楽な操作でクッションの形状変更を可能にし、同時に谷間を利用した、挟み収納空間（６）を持つ、収納付き形状可変クッション。
【請求項２】
繋止手段（５）を、たるみ部（３）をヒンジ部（１）付近に持つ、一続きの尻合せダブルスライダー付きファスナー（４）で設けた、請求項１記載の収納付き形状可変クッション。
【請求項３】
繋止手段（５）を尻合せダブルスライダー付きファスナー又は尻合せダブルスライダー付きファスナー以外のファスナーで設けた、請求項１記載の収納付き形状可変クッション。
【請求項４】
繋止手段（５）を面ファスナー又はホック又はマグネット又はボタン形式で設けた、請求項１又は３記載の収納付き形状可変クッション。
【請求項５】
一方向が、平らな面（７）でありそれ以外の方向に膨らみのある、二つ折りが可能で所定の高さｈ１及びｈ２を持つ、半球体等のクッション（８）に於いて、当該クッションの、半球体等の平面部を中央で二つ折りに１８０°の回転範囲で曲げることが出来る、ヒンジ部（１）の所定の材質と所定の厚みと半球体等のクッション（８）の平面部と直角に設けた所定の、切れ目（９）形状による、１８０°回転ヒンジ機構（１０）を設け、当該ヒンジ機構を介していずれか片方の側に曲げて当接した状態において形状を安定させる手段である、繋止手段（５）を設けた、請求項１又は２又は３又は４記載の収納付き形状可変クッション。
【請求項６】
本発明本体に１又は複数の、手持ち紐部（１１）を設けた、請求項１又は２又は３又は４又は５記載の収納付き形状可変クッション。
【請求項７】
たるみ部（３）を指ストラップ（１２）、又は大きくたるませて、手持ち紐部（１１）と兼用の構造とした、請求項１又は２又は３又は４又は５記載の収納付き形状可変クッション。
【請求項８】
クッション体の中材を、スポンジフォーム（１３）等で設け、布又は毛皮状繊維の外被材（１４）で覆われた構造とした、請求項１又は２又は３又は４又は５又は６又は７記載の収納付き形状可変クッション。
【発明の詳細な説明】
【技術分野】
【０００１】  本発明は一続きの尻合せダブルスライダー付きファスナー等の繋止手段を持った双方向に折り曲げて繋止が可能なクッションで、ファスナーのスライダーの位置関係の操作で楽に形状が変わる、挟み収納空間を備えた、収納付き形状可変クッションに関する。
【背景技術】
【０００２】  本発明に関係する背景技術を述べる。
１．多機能携帯電話であるスマートフォンが開発され、近年多機能化、高機能化が進んでいる。
スマートフォンの特徴は表面が非常に敏感なセンサーやスイッチの集合で構成され、蓋が無いので持ちづらく、専用のキャリーバッグや衣類のポケットでは出し入れに神経を使う程である。
２．野球などの応援用のグッズやその他を収納し、座席のクッションにも使用でき、応援メッセージや選手名を掲げる用具にもできる持ち運びの利便性のよい応援グッズを収納したカバン（特許文献１）が既に開発された。
３．乳幼児用の寝具となる敷布団とともに掛布団若しくは掛布を簡単に携行し、随時随所で展開使用できるキャリヤー（特許文献２）が既に開発された。
４．エアバッグ式のポシェット兼用携帯用枕の意匠（特許文献３）が既に開発された。
５．バッグを裏返しすることにより枕として使用する携帯用枕（特許文献４）が既に開発された。
６．広げた状態と閉じた状態の２種類の使い方ができるクッションの意匠（特許文献５）が既に開発された。
このクッションは中央下部に表れるリング状の紐を中央に表れる円形の係止部に掛け留めることで、閉じた状態にすることができる。
このクッションは、開いた状態では背凭れや座布団として、また、閉じた状態では腰当てや足置き、テレビ鑑賞用枕として用いられる。
７．テレビジョン技術の進歩に伴いテレビに関係したリモコンが多くなり視聴者の手元には複数のリモコンが置いてある状況をもつくり出している。
８．１本のファスナー帯の両方向から逆オープンで開く２つのスライダーを持った、尻合せダブルスライダー付きファスナーが開発された。【０００３】  先述の２〜６に述べた背景技術は本発明と構造が少し似ているが、テレビ鑑賞やスマートフォン使用に関連したクッションである本発明とは目的及び効果の文脈が明確に異なる。
本発明は一続きの尻合せダブルスライダー付きファスナーを効果的に使用する点、形状による明確な１８０°回転ヒンジ機構とその切れ目部分を利用した挟み収納空間を持ち、繋止手段をヒンジ部を介して反対方向で複数持つ点、半球体等のクッションの各方向に従来の鞄とは異なる中材充填による所定の高さ（厚み）ｈ１及びｈ２を持つ点を特徴としていて先述の２〜６の背景技術とは明確に構造の趣旨が異なる。
【先行技術文献】
【特許文献】
【０００４】
【特許文献１】  実用新案登録第３１１２３７７号公報、スポーツなどの応援グッズ用カバン
【特許文献２】  実用新案登録第３０３８７１７号公報、ベビー用布団のキャリヤー
【特許文献３】  意匠登録第１１３６８６９号公報、ポシェット兼用携帯用枕
【特許文献４】  意匠登録第１１２６２５８号公報、携帯用枕
【特許文献５】  意匠登録第１４３２４５５号公報、クッション
【発明の概要】
【発明が解決しようとする課題】
【０００５】  一続きの尻合せダブルスライダー付きファスナー等の繋止手段を持った双方向に折り曲げて繋止が可能なクッションで、ファスナーのスライダーの位置関係の操作で楽に形状や収納モードが変わる、ＴＶリモコン等の定位置収納又は目印的移動収納としての挟み収納空間を備えた、収納付き形状可変クッションを得る。
【課題を解決するための手段】
【０００６】  直交する面の直交縁同士を繋いだ部分で形成される、ヒンジ部（１）を回転軸としてシーソー型に双方向に折れ、回転・当接自在の２つのクッション体Ａ、Ｂ（２ａ、２ｂ）に於いて、回転する２方向でそれぞれ当接する面同士のアウトラインを同じくした形状で設け、アウトラインに沿って設けた、たるみ部（３）をヒンジ部（１）付近に持つ、一続きの尻合せダブルスライダー付きファスナー（４）等の、繋止手段（５）により楽な操作でクッションの形状変更を可能にし、同時に谷間を利用した、挟み収納空間（６）を持つ、請求項１記載の収納付き形状可変クッション。【０００７】  繋止手段（５）を、たるみ部（３）をヒンジ部（１）付近に持つ、一続きの尻合せダブルスライダー付きファスナー（４）で設けた、請求項２記載の収納付き形状可変クッション。【０００８】  繋止手段（５）を尻合せダブルスライダー付きファスナー又は尻合せダブルスライダー付きファスナー以外のファスナーで設けた、請求項３記載の収納付き形状可変クッション。【０００９】  繋止手段（５）を面ファスナー又はホック又はマグネット又はボタン形式で設けた、請求項４記載の収納付き形状可変クッション。【００１０】  一方向が、平らな面（７）でありそれ以外の方向に膨らみのある、二つ折りが可能で所定の高さｈ１及びｈ２を持つ、半球体等のクッション（８）に於いて、当該クッションの、半球体等の平面部を中央で二つ折りに１８０°の回転範囲で曲げることが出来る、ヒンジ部（１）の所定の材質と所定の厚みと半球体等のクッション（８）の平面部と直角に設けた所定の、切れ目（９）形状による、１８０°回転ヒンジ機構（１０）を設け、当該ヒンジ機構を介していずれか片方の側に曲げて当接した状態において形状を安定させる手段である、繋止手段（５）を設けた、請求項５記載の収納付き形状可変クッション。【００１１】  本発明本体に１又は複数の、手持ち紐部（１１）を設けた、請求項６記載の収納付き形状可変クッション。【００１２】  たるみ部（３）を指ストラップ（１２）、又は大きくたるませて、手持ち紐部（１１）と兼用の構造とした、請求項７記載の収納付き形状可変クッション。【００１３】  クッション体の中材を、スポンジフォーム（１３）等で設け、布又は毛皮状繊維の外被材（１４）で覆われた構造とした、請求項８記載の収納付き形状可変クッション。【００１４】  本発明は以上の８項の構成から成る、収納付き形状可変クッションである。
【発明の効果】
【００１５】  １．本発明は一続きの尻合せダブルスライダー付きファスナーのスライダー２個の位置関係の操作で簡便にクッションの形状や収納モードが変えられる効果がある。
２．本発明は１本の長い尻合せダブルスライダー付きファスナーを立体的に使ったシンプルな可変構造のため制作の合理化を図ることができる。
３．本発明は２種類の形状に変化できるクッションであり、又、同時に挟み収納空間を持つクッションの為、ＴＶ鑑賞やスマートフォン用の枕、座布団、その他の姿勢補助クッション等の用途が広がり便利であると共に、どこかに行きがちなＴＶリモコン類、新聞やスマートフォンの定位置収納、収納体自体が存在のサインとなる目印的移動収納として使え、テレビやスマートフォンを使用する時に探さないですみ便利である。
４．本発明が持つクッション利用と収納利用の２つの使用形態に於いて、テレビ鑑賞枕又はスマートフォン枕で使用している時には収納は必要なく、収納として使う時はテレビ又はスマートフォンを使用しない時である。
クッションと収納の２つの使用形態が時間的に干渉しないでかつ関連した目的で通しで使用できる利便性を持っている。【００１６】  本発明の使い方は、先ず、たるみ部（３）にファスナーのスライダーＡとＢを集中させて使いたい形状の方に本体を回転・当接させ、当接側のスライダーを動かして形状を安定させる。
そして、それぞれの形状のクッションとして、又は、挟み収納空間を使ってＴＶリモコンや新聞の定位置収納や目印的移動収納として使う。
【図面の簡単な説明】
【００１７】
【図１】  実施例１に係る本発明の説明斜視図である。繋止手段の立体的なしくみを表現するためにクッション体は破線のスケルトン表現とし、ファスナーの表面保護布（１６）は省略して表している。
【図２】  実施例１に係る本発明の説明断面図であり、スライダーＡ（１５ａ）とスライダーＢ（１５ｂ）が共にたるみ部（３）にあるときの状態を示す。
【図３】  実施例１に係る本発明の説明斜視図である。ファスナーの表面保護布（１６）を省略して表している。
【図４】  実施例１に係る本発明の変化させた形状での説明斜視図である。ファスナーの表面保護布（１６）を省略して表している。
【図５】  実施例１に係る本発明の収納機能を使用中の状態を示す説明斜視図である。ファスナーの表面保護布（１６）を省略して表している。
【図６】  実施例２に係る本発明の斜視図である。ファスナーの表面保護布（１６）を省略して表している。
【図７】  実施例２に係る本発明の裏側を表す斜視図であり、スマートフォン一時置き台としての利用状態を示す。ファスナーの表面保護布（１６）を省略して表している。
【図８】  実施例２に係る本発明の説明断面図であり、スライダーＡ（１５ａ）とスライダーＢ（１５ｂ）が共にたるみ部（３）にあるときの状態を示す。ファスナーの表面保護布（１６）は省略して表している。
【図９】  実施例２に係る本発明の変化させた形状での説明斜視図であり、スマートフォン収納としての利用状態を示す。ファスナーの表面保護布（１６）を省略して表している。
【発明を実施するための形態】
【００１８】  直交する面の直交縁同士を繋いだ部分で形成される、ヒンジ部（１）を回転軸としてシーソー型に双方向に折れ、回転・当接自在の２つのクッション体Ａ、Ｂ（２ａ、２ｂ）に於いて、回転する２方向でそれぞれ当接する面同士のアウトラインを同じくした形状で設け、アウトラインに沿って設けた、たるみ部（３）をヒンジ部（１）付近に持つ、一続きの尻合せダブルスライダー付きファスナー（４）等の、繋止手段（５）により楽な操作でクッションの形状変更を可能にし、同時に谷間を利用した、挟み収納空間（６）を持つことを本発明の主要な特徴とする。
【００１９】  実施例に於いては１本の長い尻合せダブルスライダー付きファスナーの約半分づつを使ってそれぞれの方向での繋止手段としている。
１本の長いファスナー帯の２つのスライダーを繋止させる側に移動させ、繋止させる側でファスナーの閉じの区間を長くする操作で安定して繋止させることができる。
それと同時に選択された全体形状も安定することとなる。
一続きのダブルスライダー付きファスナーの繋止手段は片側を繋止させている時には２個のスライダーの両方がもう片方の側には無い空間関係である為、同時に裏側の繋止手段を開放するダブル操作が要らない点で使用が楽で、使用者にわかりやすい効果がある。
【００２０】  クッション体Ａ、Ｂから成る１８０°回転ヒンジ機構をもつクッション体をヒンジ部を軸に２つ折りに出来、クッション体自体に所定の高さｈ１及びｈ２がある本発明では２種類の全体形状が選択的に形成されることとなる。実施例ではｈ１＜ｈ２を特徴としている。
また、同時にヒンジ部付近に生じる形状可変クッションの谷間部分である切れ目（９）による挟み収納空間（６）が得られる。
この挟み収納空間はファスナーのスライダー位置の操作により、繋止側に於いてファスナーの閉じの区間の割合が０％〜１００％の中間モードを含んで挟みラックモードから鞄モードまで収納形態を任意に変えることができる。
【実施例】
【実施例１】
【００２１】  図１〜図５は、本発明の実施例１に係る収納付き付形状可変クッションを示す図面であり、図１は斜視図、図２は断面図、図３は斜視図、図４は斜視図、図５は斜視図である。
直交する面の直交縁同士を繋いだ部分で形成される、ヒンジ部（１）を回転軸としてシーソー型に双方向に折れ、回転・当接自在の２つのクッション体Ａ、Ｂ（２ａ、２ｂ）に於いて、回転する２方向でそれぞれ当接する面同士のアウトラインを同じくした形状で設け、アウトラインに沿って設けた、たるみ部（３）をヒンジ部（１）付近に持つ、一続きの尻合せダブルスライダー付きファスナー（４）等の、繋止手段（５）により楽な操作でクッションの形状変更を可能にし、同時に谷間を利用した、挟み収納空間（６）を持つことを特徴としている。【００２２】  図に於いて１はヒンジ部である。
クッション体Ａ、Ｂの直交縁（１７）同士を繋いでその接合部分に形成される蝶番である。
実施例１では回転軸に当たる部分にクッションの裏表の外被材を接しさせ、その部分を直線状に縫い合わせて蝶番を形成している。【００２３】  図に於いて２ａ、２ｂはクッション体Ａ、Ｂである。
それぞれが、直交する２つの平面を持ち、２つの平面が接する直線状の縁である、直交縁（１７）を持ち、２つの面からそれぞれの方向への厚みである、所定の高さｈ１、ｈ２を持つクッション体である。
実施例ではｈ１＜ｈ２としている。
又、クッション体Ａ、Ｂの立体形状は直交縁（１７）を通る対称面により、それぞれ面対称形に設けていて直交する面の直交縁同士を繋いで形成される、ヒンジ部（１）を回転軸としてシーソー型に双方向に回転する２つのクッション体Ａ、Ｂ（２ａ、２ｂ）に於いて、回転する２方向でそれぞれ当接する面同士のアウトラインが同じくなるようにして設けている。
クッション体Ａ、Ｂは中材を、スポンジフォーム（１３）等で設け、布又は毛皮状繊維の外被材（１４）で表面に適度な張りが生じるようにして覆われた構造としている。
クッション体Ａ、Ｂは低反発スポンジを中材に使用することを理想とする。【００２４】  図に於いて３はたるみ部である。
ヒンジ部付近のファスナー帯を一部たるませて設けている。
ファスナーの２個のスライダーが一緒にヒンジ部付近を通過する際、本体の３次元的形状変化に伴うファスナー帯の捻じれや突っ張りが生じる為、形状変化時点に於けるファスナーのスライダーの追従性を良くする為の３次元的形状変化追従機構である。
たるみ部の根本部分のファスナー帯をしっかりと本体に縫い付けておくことにより指ストラップの機能を兼ねることもできる。
また、長大にして設けることにより手持ち紐としての機能を兼ねることができる。
実施例ではたるみ部を補強と意匠の目的でファスナー帯の表面に延長した表面保護布を添えて設けている。（ただし、図では表面保護布は省略している）【００２５】  図に於いて１０は実施例１に於ける１８０°回転ヒンジ機構である。
１８０°回転ヒンジ機構（１０）は、ヒンジ部（１）を回転軸にして、回転角度が０°〜１８０°の範囲で的確に作用するように設けた機構であって、ヒンジ部の所定の材質と所定の厚みとクッションＡ、Ｂの直交縁で９０°の角度で交わる所定の形状の平面部分の３条件より構成される。【００２６】  図に於いて５は繋止手段である。
ヒンジ部を回転軸としてほぼ１８０°の範囲で双方向へ回転して当接し合うクッション体Ａ、Ｂを双方向で当接したまま繋止させる手段である。【００２７】  図に於いて４は一続きの尻合せダブルスライダー付きファスナーである。
実施例１に於いては１本の長い尻合せダブルスライダー付きファスナーの約半分づつを使ってそれぞれの方向での繋止手段としている。
１本の長いファスナー帯の２つのスライダーを繋止させる側に移動させ、繋止させる側でファスナーの閉じの区間を長くする操作で安定して繋止させることができる。
それと同時に形状もその方向で安定することとなる。
一続きの尻合せダブルスライダー付きファスナーの繋止手段は片側を繋止させている時には２個のスライダーの２個共ががもう片方の側には無い空間関係である為、同時に裏側のファスナー等の繋止手段を開放するダブル操作が要らない点で使用が楽で、使用者にわかりやすい効果がある。
ファスナーの材質は人体に冷ややかな感触を与えないプラスチックレールのファスナーを使っている。【００２８】  図に於いて６は挟み収納空間である。
本発明はそのクッションの持つ高さと可変構造により２種類の形状に変化できるクッションで、クッションの用途が広がり、同時にヒンジ部付近に生じる可変クッションの谷間による挟み収納空間（６）が得られる。
また、ファスナーのスライダー位置の操作により、挟みラックモードから鞄モードまで収納形態をコントロールすることができる。
挟み収納空間（６）は表面が柔らかい為部分的に収納物の出っ張りや角のぶつかりを吸収しなじませて挟むことが出来る。【００２９】  図に於いて８は半球体等のクッションである。
ヒンジ部で繋がったクッション体Ａ、Ｂから成る全体形状が半球体等のクッション（８）は何れか片方の側に当接させた状態に於いて、何れか片方にできる平らな面（７）に直角な、切れ目（９）を持つことを特徴としている。
この切れ目（９）が挟み収納空間（６）である。【００３０】  図に於いて１６はファスナーの表面保護布である。先端をクッション体Ａ、Ｂで突合せになるようにクッション体Ａ、Ｂに固定して設ける、ファスナーの表面をスライダーが移動可能に覆うやや厚みのある布で、ファスナーレールがクッション使用時に人体に直接触れないようにしたものである。
なを、表面のカーブが大きなクッションでは、突合せではなく、両側のファスナー部分を覆う片側からの表面保護布でも良い。（図示せず）【００３１】  （本発明実施例１の効果）
１．本発明は一続きの尻合せダブルスライダー付きファスナーのスライダー２個の位置関係の操作で簡便にクッションの形状や収納モードが変えられる効果がある。
２．本発明は１本の長い尻合せダブルスライダー付きファスナーを立体的に使ったシンプルな可変構造のため制作の合理化を図ることができる。
３．本発明は２種類の形状に変化できるクッションであり、又、同時に挟み収納空間を持つクッションの為、ＴＶ鑑賞枕、座布団、その他の姿勢補助クッション等の用途が広がり便利であると共に、どこかに行きがちなＴＶリモコン類や新聞等の定位置収納、収納体自体が存在のサインとなる目印的移動収納として使え、テレビを観る時に探さないですみ便利である。
４．本発明が持つクッション利用と収納利用の２つの使用形態に於いて、テレビ鑑賞枕で使用している時には収納は必要なく、収納として使う時はテレビを観ない時である。
クッションと収納の２つの使用形態が時間的に干渉しないでかつ関連した目的で通しで使用できる利便性を持っている。
５．半円柱形にした本発明は体を左右にローリングしながら肩を動かしても引っ掛からない形なので、ＴＶリモコン、新聞、スマートフォン等を寝ながら扱う時楽である。【００３２】  本発明の使い方は、先ず、たるみ部（３）にファスナーのスライダーＡとＢを集中させて使いたい形状の方に本体を回転・当接させ、当接側のスライダーを動かして形状を安定させる。
そして、それぞれの形状のクッションとして、又は、挟み収納空間を使ってＴＶリモコンや新聞の定位置収納や目印的移動収納として使う。
【実施例２】
【００３３】  図６〜図９は、本発明の実施例２に係る収納付き形状可変クッションを示す図面であり、図６は斜視図、図７は斜視図、図８は断面図、図９は斜視図である。
実施例２は実施例１と構成がほぼ同じであるが、機能をスマートフォン用のクッションに特化した点に特徴がある。
一方向が、平らな面（７）でありそれ以外の方向に膨らみのある、二つ折りが可能で所定の高さｈ１及びｈ２を持つ、半球体等のクッション（８）に於いて、当該クッションの、半球体等の平面部を中央で二つ折りに１８０°の回転範囲で曲げることが出来る、ヒンジ部（１）の所定の材質と所定の厚みと半球体等のクッション（８）の平面部と直角に設けた所定の、切れ目（９）形状による、１８０°回転ヒンジ機構（１０）を設け、当該ヒンジ機構を介していずれか片方の側に曲げて当接した状態において形状を安定させる手段である、繋止手段（５）を設けた構成である。【００３４】  図に於いて７は平らな面である。
平らな面（７）はスマートフォン置台の表面としてふさわしい平らな表面を形成する為、中材を形状安定性に優れるスポンジフォーム等で設けている。【００３５】  図に於いて８は半球体等のクッションである。
実施例１と同じであるが、ヒンジ部で繋がったクッション体Ａ、Ｂから成る全体形状が半球体等のクッション（８）は何れか片方の側に当接させた状態に於いて、何れか片方にできる平らな面（７）に直角な、切れ目（９）を持つことを特徴としている。
この切れ目（９）が挟み収納空間（６）である。
平らな面（７）に直角な一対の切れ目（９）部壁面は閉じた状態に於いて平らな面（７）を平らな形状に保つ為のものであり、平面側を閉じた状態に於いてはスマートフォンスタンドやスタンド型スマートフォンポーチとしての平らな底面を形成する為のものである。【００３６】  図に於いて１０は１８０°回転ヒンジ機構である。
実施例２に於ける１８０°回転ヒンジ機構（１０）は、ヒンジ部（１）を回転軸にして、平らな面（７）の二つ折り回転角度が０°〜１８０°の範囲で的確に作用するように設けた機構であって、ヒンジ部の所定の材質と所定の厚みと半球体等のクッション（８）の平らな面（７）と直角に設けた所定の、切れ目（９）形状の３条件より構成される。【００３７】  （本発明実施例２の効果）
１．本発明は一続きの尻合せダブルスライダー付きファスナーのスライダー２個の位置関係の操作で簡便にクッションの形状や収納モードが変えられる効果がある。
２．本発明は１本の長い尻合せダブルスライダー付きファスナーを立体的に使ったシンプルな可変構造のため制作の合理化を図ることができる。
３．本発明は２種類の形状に変化できるクッションであり、又、同時に挟み収納空間を持つクッションの為、スマートフォン用の枕やその他の姿勢補助クッション等の用途が広がり便利であると共に、スマートフォンや付属品、メモ具等の定位置収納や収納体自体が存在のサインとなる目印的移動収納として使え、半モバイル的収納として便利である。
実施例２では本発明１つの構造体でスマートフォン枕、裏返した形態でスマートフォン一時置き台、二つ折りにして、大きい方の平らな面側のファスナーを閉じた形態でスマートフォンポーチの３機能を得ることができる。
４．本発明が持つクッション利用と収納利用の２つの使用形態に於いて、スマートフォン枕で使用している時には収納は必要なく、収納として使う時はスマートフォンを使用しない時である。
クッションと収納の２つの使用形態が時間的に干渉しないでかつ関連した目的で通しで使用できる利便性を持っている。【００３８】  本発明の使い方は、先ず、たるみ部（３）にファスナーのスライダーＡとＢを集中させて使いたい形状の方に本体を折り、回転・当接させ、当接側のスライダーを動かして形状を安定させる。
そして、それぞれの形状のクッションとして、又は、大きい方の平らな面（７）とそれに挟まれた挟み収納空間（６）を使ってスマートフォン等の定位置収納や目印的移動収納として使う。
広げて使っていたそのままの状態で二つ折りにし、ファスナーを閉じてメモ書きや筆記具等もスマートフォンと一緒にしまって移動できる。
大きい方の平らな面（７）側のファスナーを閉じると一対の切れ目壁面（小さい方の平らな面）同士がぼぼ１８０°で同一平面上で揃い、平らな底面を形成しスタンド型ポーチを安定して立てておける形状を生む。
このスタンド型スマートフォンポーチは薄いスマートフォンの出し入れがスムーズに行うことができる。
電話を頻繁にする状況下ではファスナーを半開きにした状態にしておくと、一時置き台とポーチの中間的なスマートフォンスタンドとして使うことができる。
【産業上の利用可能性】
【００３９】  本発明が持つクッション利用と収納利用の２つの使用形態に於いて、テレビ鑑賞枕又はスマートフォン枕で使用している時には収納は必要なく、収納として使う時はテレビ又はスマートフォンを使用しない時である。
クッションと収納の２つの使用形態が時間的に干渉しないでかつ関連した目的で通しで使用できる利便性を持っている為、一般のクッションとはクッションのイメージを異にし、テレビ鑑賞やスマートフォン使用の目的に沿った特定の機能クッションとして利用される可能性が高い。
【符号の説明】
【００４０】１  ヒンジ部
２ａ  クッション体Ａ
２ｂ  クッション体Ｂ
３  たるみ部
４  一続きの尻合せダブルスライダー付きファスナー
５  繋止手段
６  挟み収納空間
７  平らな面
８  半球体等のクッション
９  切れ目
１０  １８０°回転ヒンジ機構
１１  手持ち紐部
１２  指ストラップ
１３  スポンジフォーム
１４  布又は毛皮状繊維の外被材
１５ａ  スライダーＡ
１５ｂ  スライダーＢ
１６  ファスナーの表面保護布
１７  直交縁
【図１】
2015164508.tif 000003
【図２】
2015164508.tif 000004
【図３】
2015164508.tif 000005
【図４】
2015164508.tif 000006
【図５】
2015164508.tif 000007
【図６】
2015164508.tif 000008
【図７】
2015164508.tif 000009
【図８】
2015164508.tif 000010
【図９】
2015164508.tif 000011